(57)【要約】【課題】光源から発生する熱を効率よく放熱し、かつ部品点数が少なく、組立性、調整性にも優れている光ピックアップを提供する。【解決手段】光ピックアップは、光ビームを出射するレーザー光源１と、レーザー光源１を載置した光源ユニット２と、光源ユニット２を保持する保持部材１３と、保持部材１３及び光学部品を載置する基台７で構成され、保持部材１３の表面に熱を赤外線に変換して熱放射する赤外線放射膜１３ａを成膜することにより、レーザー光源１より発生する熱を周辺に熱放射することで効率よく熱を放熱する。【選択図】図１
2006252690.tif 000002
【特許請求の範囲】
【請求項１】
光ビームを出射するレーザー光源と、
前記レーザー光源を載置した光源ユニットと、
前記光源ユニットを保持する保持部材と、
前記保持部材及び光学部品を載置する基台とを含み、
前記保持部材の表面に赤外線放射材料を成膜した赤外線放射膜を有することを特徴とする光ピックアップ。
【請求項２】
光ビームを出射するレーザー光源と、
前記レーザー光源を載置した光源ユニットと、
前記光源ユニットを保持する保持部材と、
前記保持部材及び光学部品を載置する基台とを含み、
前記基台の表面に赤外線放射材料を成膜した赤外線放射膜を有することを特徴とする光ピックアップ。
【請求項３】
前記赤外線放射材料の赤外線放射温度範囲が、実効的に１００℃以下であることを特徴とする光ピックアップ。
【発明の詳細な説明】
【技術分野】
【０００１】
本発明は、光情報記録媒体（以下、光ディスクと称する）の情報層に光学的に情報の記録、再生を行う光ピックアップに関するものである。
【背景技術】
【０００２】
従来の光ピックアップとしては、光源ユニットを基台に対して支持固定するとともに、光源ユニットに搭載されたレーザー素子から発生する熱を基台に伝導させる弾性部材を具備した構成が、例えば、特許文献１で提案されている。図４は、特許文献１に記載された従来の光ピックアップ９０を模式的に示す図である。同図において、光ビーム１０７を出射するレーザー素子１０１はヒートシンク１０３に搭載され、光源ユニット１０４を構成している。レーザー素子１０１より出射する光ビーム１０７は、対物レンズ１０２によって図示しない光ディスク盤面上に照射される。光源ユニット１０４は弾性部材１０６のバネ性によって基台１０５に支持固定される。光源ユニット１０４に内蔵されるレーザー素子１０１が光ビーム１０７を出射することに基づき発生する熱は、ヒートシンク１０３、弾性部材１０６を介して基台１０５に伝導する機能を有していた。このような弾性部材１０６はコンパクトな形状で、光源ユニット１０４を基台１０５に対して取り付けることができるため、このような形状を有する弾性部材１０６は光ピックアップに広く適用されている。
【特許文献１】特開２００２−１５４５１号公報（段落番号００１８〜００１９、図１）
【発明の開示】
【発明が解決しようとする課題】
【０００３】
しかしながら特許文献１に開示の構成では、次のような課題がある。図５は弾性部材１０６の斜視図であり、凸部１０６ａと一対の股部１０６ｂとが平坦部１０６ｃで連設している。凸部１０６ａと一対の股部１０６ｂとの間に光源ユニット１０４と基台１０５とを付勢力で挟持することで取り付けを行う。このように光源ユニット１０４と基台１０５とは弾性部材１０６の付勢力による挟持であるため、例えば光源ユニット１０４から出射する光ビーム１０７と対物レンズ１０２の光軸とを調整した後、光学ユニット１０４の発熱を基台１０５に逃がす担い手の弾性部材１０６で光源ユニット１０４を基台１０５に弾性部材１０６で挟持すると、挟持の際にどうしても光源ユニット１０４にずれが生じ、折角調整した光源ユニット１０４と対物レンズ１０２との光軸にずれが生じ易いという課題があった。
【０００４】
また、一対の股部１０６ｂと凸部１０６ａとは平坦部１０６ｃによって連接し、しかも一対の股部１０６ｂと光源ユニット１０４の背面とが面状で係合しているため、弾性部材１０６で挟持させた後、弾性部材１０６による挟持の際に生じたずれを再度光軸調整しようとしても、光軸ユニット１０４のみの移動は事実上不可能であるため、取り付けバラツキが大きいという課題もある。
【０００５】
さらに、弾性部材１０６の一対の股部１０６ｂと凸部１０６ａとを介して光源ユニット１０４の背面から基台１０５への放熱を行っているため、発熱体である光源ユニット１０４の背面と一対の股部１０６ｂとの接触面積が小さい上、基台１０５と弾性部材１０６との接触面積も凸部１０６ａであるため小さいことが相俟って、発熱体の光源ユニット１０４から放熱の真の担い手である基台１０５への熱伝導部分の接触面積が小さくなり、効率よく放熱することができないという課題を有していた。
【０００６】
本発明は、前記従来の課題を解決するもので、レーザー光源から発生する熱を効率よく放熱し、光軸調整性にも優れた光ピックアップを提供することを目的とする。
【課題を解決するための手段】
【０００７】
従来課題を解決するために、本発明に係る光ピックアップは、光ビームを出射するレーザー光源と、前記レーザー光源を載置した光源ユニットと、前記光源ユニットを保持する保持部材と、前記保持部材及び光学部品を載置する基台とを含み、前記保持部材の表面に赤外線放射材料を成膜した赤外線放射膜を有する。
【０００８】
本発明に係る光ピックアップは、光ビームを出射するレーザー光源と、前記レーザー光源を載置した光源ユニットと、前記光源ユニットを保持する保持部材と、前記保持部材及び光学部品を載置する基台とを含み、前記基台の表面に赤外線放射材料を成膜した赤外線放射膜を有する。
【０００９】
上記光ピックアップにおける赤外線放射材料は、赤外線放射温度範囲が実効的に１００℃以下の構成が好ましい。
【発明の効果】
【００１０】
本発明の構成によれば、光源ユニットを保持する保持部材または基台の表面に熱を赤外線に変換する赤外線放射材料を成膜することにより、保持部材への熱伝導に加え、赤外線放射材料の熱放射により、レーザー光源から発生する熱を効率よく放熱し、半導体レーザーなどのレーザー光源の寿命を延ばし、高温環境下においてもレーザー光源を安定して動作させることができ、かつ部品点数も少なく組立性、調整性にも優れている光ピックアップを提供することができる。
【発明を実施するための最良の形態】
【００１１】
本実施の形態に係る光ピックアップにおいては、保持部材または基台等の表面に、レーザー光源から発生する熱を、保持部材へ伝導することに加えて、さらに熱を赤外線に変換して、熱放射するための赤外線放射膜を備えるため、レーザー光源から発生する熱を保持部材や基台といった体積の大きい部材へ熱を伝導するとともに、周辺に熱を放射することで効率よく放熱する機能を有している。その結果、レーザー光源の寿命を延ばし、高温環境下においてもレーザー光源を安定して動作させることができる。しかも、当該赤外線放射膜を保持部材や基台等に備えることで、赤外線放射膜がレーザー光源による発熱を放射することができ、レーザー光源と対物レンズとの光軸調整時に、従来の弾性部材を用いずとも、光軸がずれないようにレーザ光源と基台とを固定できるため、部品点数も少なく優れた組立性、調整性を得ることができる。
【００１２】
以下、図面を参照して本発明の実施の形態を説明する。図１は、本実施形態における光ピックアップの分解斜視図であり、図２は光ピックアップの腰部平面図である。図１および図２において、半導体レーザーなどのレーザー光源１は、光源ユニット２に搭載されている。光源ユニット２は保持部材１３に保持されており、フレキシブルプリント基板３に半田付けされている。保持部材１３は、調整部材１７を介して基台７に光学的に最適となるように調整され、保持されている。フレキシブルプリント基板３は図示しない光ピックアップ回路部に接続されており、この光ピックアップ回路部は、レーザー光源１を発光させると共に、対物レンズ駆動装置１２を動作させる光ピックアップ１６を制御するための図示しないメイン回路に接続されている。
【００１３】
金属や、樹脂などの材料によって形成された保持部材１３には、図３に示すように、その表面に熱を赤外線に変換して熱放射する赤外線放射材料１３ａ及び１３ｂを成膜している。この赤外線放射材料１３ａ及び１３ｂは、レーザー光源１の動作保証温度近傍の温度範囲に対して、熱放射の効果が実現できるよう、例えば白金、白金含有物またはカーボンといった材料が適用される。なお、赤外線放射温度範囲が実効的に１００℃以下である材料であることが好ましい。
【００１４】
また、レーザー光源１から放射された光ビームを偏向する偏向ミラー８、光ビームの発散光を集光して平行光にするコリメートレンズ９、およびコリメートレンズ９により平行光となった光ビームを図示しない光ディスクに対して鉛直に偏向する立ち上げミラー１０はそれぞれ基台７に搭載されている。図示しない光ディスク盤面上に光ビームを集光して光スポットを投影する対物レンズ１１を搭載した対物レンズ駆動装置１２は、レーザー光源１の光軸中心を調整し、基台７に搭載されている。これらの部品によって光ピックアップ１６が構成されている。
【００１５】
次に、光ピックアップ１６の動作を説明する。レーザー光源１から放射された光ビームは、偏向ミラー８によってコリメートレンズ９に導かれて集光し、平行光となって立ち上げミラー１０によって図示しない光ディスクに対して鉛直に偏向され、対物レンズ１１によって集光されて光ディスク盤面上にスポットを形成する。光ディスクに記録された情報信号は、光信号となって受光素子１５によって検出される。検出された光信号によって、図示しないメイン回路から光ピックアップ１６に制御をかけ、対物レンズ駆動装置１２の対物レンズ１１を搭載されている部位を、光ディスクに対して面ぶれや偏心に追従させたり、レーザー光源１から放射される光ビームの発光パワーを制御駆動して記録動作を行ったり、再生動作を行ったりする。
【００１６】
ここでレーザー光源１より光ビームが放射されると、熱が発生する。レーザー光源１から発生した熱は、保持部材１３および調整部材１７を伝導して体積の大きい基台７へ伝導される。また、保持部材１３に蓄積される熱は調整部材１７、基台７へ伝導することに加え、保持部材１３の表面に成膜した赤外線放射膜１３ａ及び１３ｂがレーザー光源１で発生した熱を赤外線に変換し、熱放射することにより、光ピックアップ１６の周辺に熱を放射するため、効率よく放熱することができる。
【００１７】
係る構成によれば、従来構成のように、光軸調整後、弾性部材を基台に固定する際に、折角調整した光軸にずれが生じる課題を抑制することができると共に、保持部材１３から直接放熱させるため部品点数を少なくすることもでき、光軸調整性を飛躍的に向上することができる。また、赤外線放熱膜１３ａ及び１３ｂで積極的に熱を赤外線として放熱させることでレーザー光源１に蓄積される熱も低減できるため、レーザー光源１の寿命を延ばし、高温環境下においても熱によるレーザーの閾値ずれといった特性劣化を防ぐことができ、レーザー光源１を安定して動作させることができ、光ピックアップ１６の安定したレーザー制御を行うことができる。
【００１８】
また、記録型の光ディスクに適用する場合には、周知のように高周波モジュール４をレーザー光源１の近傍に、フレキシブルプリント基板３上に実装するが、高周波モジュール４のアースが弱いと不要輻射が増大する。本実施形態において、保持部材１３の材料を樹脂とし、赤外線放射膜１３ａの材料を、白金や亜鉛を含だ白金などの半田付けできる材料を適用し保持部材１３に成膜することにより、フレキシブルプリント基板３の高周波モジュール４のアース部分と、保持部材１３の赤外線材料１３ａと半田付けできるようにしておけば、アースがより強固になり、高周波モジュール４より発生する不要輻射を低減することができる。
【００１９】
なお、本実施形態では保持部材１３の調整部材１７側全面に赤外線放射膜１３ａ及び１３ｂを備える構成について説明したが、例えばレーザー光の保持部材１３の外周のみ、あるいは保持部材１３の上面外周のみ（図３の１３ａ）に備える構成であっても良い。
【００２０】
本発明の光ピックアップ１６に適用する赤外線放熱膜は、発熱体であるレーザー光源１にできるだけ近くに配置する部材に備えることが好ましいが、例えば記録密度の向上と高倍速記録に対する要請とに応じて、保持部材１３よりも表面積が大きい調整部材１７、基台７に成膜しても良い。図６は、本発明の他の実施形態における光ピックアップ１６に適用する基台７の斜視図である。同図に示したように、基台７の側面に赤外線放射膜７ａを備えても良いし、基台７の上面７ｂに赤外線放射膜を備えてもよく、側面及び上面両方に備えても良い。この構成によれば、保持部材１３とレーザー光源１とを基台７に対して固定することで、レーザー光源１で発熱した熱は基台７に伝熱し、基台７に備える赤外線放射膜７ａ等が赤外線に変換すると共に基台７外部に放熱する。基台７の表面積は例えば保持部材１３と比べると圧倒的に広いため、放熱効率が高い光ピックアップ１６を提供することができる。図７は、本発明の別の実施形態における光ピックアップ１６に適用する調整部材１７の斜視図である。調整部材１７の上面に赤外線放射膜１７ａを設けた構成であるが、本実施形態でも保持部材１３に比べると表面積が大きいため放熱効率が高く、しかも基台７よりはレーザー光源１に近いため熱伝導性もよく、赤外線放射膜１７ａにより高高率な放熱が可能となる。
【００２１】
以上の実施形態では、保持部材１３、調整部材１７及び基台７それぞれ単独に赤外線放射膜を備えた例で説明したが、単一部材に備えることに限定するわけではなく、赤外線放射膜は光ピックアップ１６及び／または対物レンズ駆動装置１２を構成する部材に選択的に備えることができること勿論である。
【産業上の利用可能性】
【００２２】
以上のように、本発明にかかる光ピックアップは、ＤＶＤ等の、複数種類の高記録密度の光情報記録媒体を記録または再生する装置として有用であり、特にレーザー光源の熱を赤外線に変換して周辺に熱放射することで効率よくレーザー光源の熱を放熱し、レーザー光源の寿命を延ばし、光ピックアップの安定したレーザー制御を行うのに適している。
【図面の簡単な説明】
【００２３】
【図１】本発明の光ピックアップにおける一実施形態の分解斜視図
【図２】同実施形態の構成を示す平面図
【図３】同実施形態の保持部の斜視図
【図４】（ａ）は従来の光ピックアップの平面図、（ｂ）はＸ方向の側面図、（ｃ）ハワイ方向の側面図
【図５】弾性部材の斜視図
【図６】本発明の他の実施形態における基台の斜視図
【図７】本発明の別の実施形態における調整部材の斜視図
【符号の説明】
【００２４】
１  レーザー光源
２  光源ユニット
３  フレキシブルプリント基板
４  高周波モジュール
７  基台
８  偏向ミラー
９  コリメートレンズ
１０  立ち上げミラー
１１  対物レンズ
１２  対物レンズ駆動装置
１３  保持部材
１３ａ  赤外線放射膜
１６  光ピックアップ
１７  調整部材
【図１】
2006252690.tif 000003
【図２】
2006252690.tif 000004
【図３】
2006252690.tif 000005
【図４】
2006252690.tif 000006
【図５】
2006252690.tif 000007
【図６】
2006252690.tif 000008
【図７】
2006252690.tif 000009